(57)【要約】【課題】  他校との交流を促し、入学から卒業まで及び卒業後の流れにおいて、学校から発せられる学校の情報を学年別に時系列に一括管理する学校情報発信システムを提供する。【解決手段】  インターネット等の通信手段Ｚを介して写真や文集からなる学校新聞情報１７を公開する学校情報発信システムであって、通信手段Ｚ上に複数校の学校新聞情報１７を掲載したホームページを備え、このホームページに、学校の情報を入力することにより会員登録し、登録することにより各学校毎に１つの学校ＩＤを付与する会員登録ページ１１と、前記学校新聞の内容をアプリケーションフォームに従って任意に編集できる編集ページ１５と、前記学校ＩＤを入力することにより前記編集ページ１５にログインするログイン部１２とを備える。【選択図】  図１
2007065974.tif 000002
【特許請求の範囲】
【請求項１】
入力部、表示部、および送受信部を備えた一般人が使用する非会員側端末手段と、
データ記憶部、制御部、入力部、表示部、および送受信部を備えた所定の学校職員等の学校関係者が使用する特定会員側端末手段と、
データ記憶部、制御部、および送受信部を備え、前記各端末手段間をインターネット等の通信手段を介して通信接続するウェブサーバーとを備え、
前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、
前記ウェブサーバーの制御部は、特定会員側端末手段からのアクセスに対し学校ＩＤを識別し、合致した場合に特定会員側端末手段から送られる写真や文集等の学校新聞情報をウェブサーバーのデータ記憶部に記憶させ、かつ、各端末手段からのアクセスに対し、前記学校新聞情報を前記ウェブサーバーのデータ記録部から取出して、これを非会員側端末手段に送信することを特徴とする学校情報発信システム。
【請求項２】
入力部、表示部、および送受信部を備えた所定の学校に在学する在学生が使用する第一会員側端末手段と、
データ記憶部、制御部、入力部、表示部、および送受信部を備えた所定の学校職員等の学校関係者が使用する特定会員側端末手段と、
データ記憶部、制御部、および送受信部を備え、前記各端末手段間をインターネット等の通信手段を介して通信接続するウェブサーバーとを備え、
前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、
前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第一会員側端末手段に送信し、
前記ウェブサーバーの制御部は、特定会員側端末手段からのアクセスに対し学校ＩＤを識別し、合致した場合に特定会員側端末手段から送られる在学生の連絡先等の連絡網情報をウェブサーバーのデータ記憶部に記憶させ、かつ、第一会員側端末手段からのアクセスに対しユーザーＩＤを識別し、合致した場合に前記連絡網情報を前記ウェブサーバーのデータ記録部から取出して、これを第一会員側端末手段に送信することを特徴とする学校情報発信システム。
【請求項３】
入力部、表示部、および送受信部を備えた所定の学校を卒業した卒業生が使用する第二会員側端末手段と、
データ記憶部、制御部、入力部、表示部、および送受信部を備えた所定の学校職員等の学校関係者が使用する特定会員側端末手段と、
データ記憶部、制御部、および送受信部を備え、前記各端末手段間をインターネット等の通信手段を介して通信接続するウェブサーバーとを備え、
前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、
前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第二会員側端末手段に送信し、
前記ウェブサーバーの制御部は、特定会員側端末手段からのアクセスに対し学校ＩＤを識別し、合致した場合に特定会員側端末手段から送られる写真や文集等の卒業アルバム情報をウェブサーバーのデータ記憶部に記憶させ、かつ、第二会員側端末手段からのアクセスに対しユーザーＩＤを識別し、合致した場合に前記卒業アルバム情報を前記ウェブサーバーのデータ記録部から取出して、これを第二会員側端末手段に送信することを特徴とする学校情報発信システム。
【請求項４】
卒業生が在学中に予め得たユーザーＩＤを用いてウェブサーバーにアクセスする場合において、ウェブサーバーの制御部は、第二会員側端末手段からのアクセスに対しユーザーＩＤを識別し、合致した場合に前記卒業アルバム情報を前記ウェブサーバーのデータ記録部から取出して、これを第二会員側端末手段に送信する請求項３記載の学校情報発信システム。
【請求項５】
入力部、表示部、および送受信部を備えた所定の学校に在学する在学生が使用する第一会員側端末手段と、
入力部、表示部、および送受信部を備えた所定の学校を卒業した卒業生が使用する第二会員側端末手段と、
データ記憶部、制御部、入力部、表示部、および送受信部を備えた所定の学校職員等の学校関係者が使用する特定会員側端末手段と、
データ記憶部、制御部、および送受信部を備え、前記各端末手段間をインターネット等の通信手段を介して通信接続するウェブサーバーとを備え、
前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、
前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第一会員側端末手段又は前記第二会員側端末手段に送信し、
前記ウェブサーバーの制御部は、特定会員側端末手段からのアクセスに対し学校ＩＤを識別し、合致した場合に特定会員側端末手段から送られる会員間における商品売買を行う商品バザー情報システムをウェブサーバーのデータ記憶部に記憶させ、かつ、第一会員側端末手段又は前記第二会員側端末手段からのアクセスに対しユーザーＩＤを識別し、合致した場合に前記商品バザー情報システムを前記ウェブサーバーのデータ記録部から取出して、これを第一会員側端末手段又は前記第二会員側端末手段に送信することを特徴とする学校情報発信システム。
【請求項６】
商品バザー情報システムは、商品の写真と売買の条件を掲載したホームページにおいて、第一会員または第二会員の所定の売主が、売却する商品とその売却条件を指定して特定会員に商品の売買を委託し、第一会員または第二会員の買主はホームページを閲覧して、買取希望商品を指定し、特定会員に買取を申し込むことにより売買するシステムである請求項５記載の学校情報発信システム。
【請求項７】
卒業生が在学中に予め得たユーザーＩＤを用いてウェブサーバーにアクセスする場合において、ウェブサーバーの制御部は、第二会員側端末手段からのアクセスに対しユーザーＩＤを識別し、合致した場合に前記商品バザー情報システムを前記ウェブサーバーのデータ記録部から取出して、これを第二会員側端末手段に送信する請求項５又は請求項６記載の学校情報発信システム。
【請求項８】
インターネット等の通信手段を介して写真や文集からなる学校新聞情報を公開する学校情報発信システムであって、通信手段上に複数校の学校新聞情報を掲載したホームページを備え、このホームページに、学校の情報を入力することにより会員登録し、登録することにより各学校毎に１つの学校ＩＤを付与する会員登録ページと、前記学校新聞の内容をアプリケーションフォームに従って任意に編集できる編集ページと、前記学校ＩＤを入力することにより前記編集ページにログインするログイン部とを備えたことを特徴とする学校情報発信システム。
【発明の詳細な説明】
【技術分野】
【０００１】
本発明は、インターネットを介して学校新聞、卒業アルバム、連絡網、商品バザー等の学校の情報を公開する学校情報発信システムに関するものである。
【背景技術】
【０００２】
従来より、学校内の活動を写真や文集にまとめ、これを印刷してなる学校新聞を校内に配布することが一般的に行われている。また、従来、学校卒業時に学生生活の記念となる各クラス写真、各生徒写真は全生徒、学校行事のクラブ活動、体育祭、修学旅行などはいくつかに集約されたスナップ写真などを製本した卒業アルバムを作成し全卒業生に学生生活の記念品として手渡している。
【発明の開示】
【発明が解決しようとする課題】
【０００３】
しかしながら、学校新聞は印刷物として提供されるため、生徒数分必要であり、莫大な量の印刷が求められ、コスト面において問題があった。また印刷物を受け取る生徒としても入学から卒業までの間に大量な印刷物を得ることとなり、保管または処分の対応に煩わしさがあった。また学校新聞を処分した場合には、再入手は極めて困難であった。
【０００４】
一方、卒業アルバムにおいても、印刷物として提供されるため、莫大なコストが必要であるという問題があった。
【０００５】
本発明は、上記問題点に鑑み、学校新聞や卒業アルバム等の学校の情報についてコスト低減を実現すると共に学校新聞の公開により他校との交流を促し、さらには、入学から卒業まで及び卒業後の流れにおいて、学校から発せられる学校の情報を学年別に時系列に一括管理することで、在学生又は卒業生（ユーザー）の大切な思い出を煩雑な作業なく管理できるシステムを提供することを目的とする。
【課題を解決するための手段】
【０００６】
上記目的を達成するため、本発明の学校情報発信システムは、入力部、表示部、および送受信部を備えた一般人が使用する非会員側端末手段と、データ記憶部、制御部、入力部、表示部、および送受信部を備えた所定の学校職員等が使用する特定会員側端末手段と、データ記憶部、制御部、および送受信部を備え、前記各端末手段間をインターネット等の通信手段を介して通信接続するウェブサーバーとを備え、前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、前記ウェブサーバーの制御部は、特定会員側端末手段からのアクセスに対し学校ＩＤを識別し、合致した場合に特定会員側端末手段から送られる写真や文集等の学校新聞情報をウェブサーバーのデータ記憶部に記憶させ、かつ、各端末手段からのアクセスに対し、前記学校新聞情報を前記ウェブサーバーのデータ記録部から取出して、これを非会員側端末手段に送信することを特徴とする。
【０００７】
また、請求項２に記載の発明は、入力部、表示部、および送受信部を備えた所定の学校に在学する在学生が使用する第一会員側端末手段と、データ記憶部、制御部、入力部、表示部、および送受信部を備えた所定の学校職員等が使用する特定会員側端末手段と、データ記憶部、制御部、および送受信部を備え、前記各端末手段間をインターネット等の通信手段を介して通信接続するウェブサーバーとを備え、前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第一会員側端末手段に送信し、前記ウェブサーバーの制御部は、特定会員側端末手段からのアクセスに対し学校ＩＤを識別し、合致した場合に特定会員側端末手段から送られる在学生の連絡先等の連絡網情報をウェブサーバーのデータ記憶部に記憶させ、かつ、第一会員側端末手段からのアクセスに対しユーザーＩＤを識別し、合致した場合に前記連絡網情報を前記ウェブサーバーのデータ記録部から取出して、これを第一会員側端末手段に送信することを特徴とする。
【０００８】
また、請求項３に記載の発明は、入力部、表示部、および送受信部を備えた所定の学校を卒業した卒業生が使用する第二会員側端末手段と、データ記憶部、制御部、入力部、表示部、および送受信部を備えた所定の学校職員等が使用する特定会員側端末手段と、データ記憶部、制御部、および送受信部を備え、前記各端末手段間をインターネット等の通信手段を介して通信接続するウェブサーバーとを備え、前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第二会員側端末手段に送信し、前記ウェブサーバーの制御部は、特定会員側端末手段からのアクセスに対し学校ＩＤを識別し、合致した場合に特定会員側端末手段から送られる写真や文集等の卒業アルバム情報をウェブサーバーのデータ記憶部に記憶させ、かつ、第二会員側端末手段からのアクセスに対しユーザーＩＤを識別し、合致した場合に前記卒業アルバム情報を前記ウェブサーバーのデータ記録部から取出して、これを第二会員側端末手段に送信することを特徴とする。
【０００９】
上記発明において、卒業生が在学中に予め得たユーザーＩＤを用いてウェブサーバーにアクセスする場合において、ウェブサーバーの制御部は、第二会員側端末手段からのアクセスに対しユーザーＩＤを識別し、合致した場合に前記卒業アルバム情報を前記ウェブサーバーのデータ記録部から取出して、これを第二会員側端末手段に送信する構成を加えると良い。
【００１０】
また、請求項５に記載の発明は、入力部、表示部、および送受信部を備えた所定の学校に在学する在学生が使用する第一会員側端末手段と、入力部、表示部、および送受信部を備えた所定の学校を卒業した卒業生が使用する第二会員側端末手段と、データ記憶部、制御部、入力部、表示部、および送受信部を備えた所定の学校職員等の学校関係者が使用する特定会員側端末手段と、データ記憶部、制御部、および送受信部を備え、前記各端末手段間をインターネット等の通信手段を介して通信接続するウェブサーバーとを備え、前記ウェブサーバーの制御部は、特定会員側端末手段から送られる学校名等の学校識別情報に応じて学校毎に単一に付与される学校ＩＤを付与し、この学校ＩＤを前記学校識別情報に関連付けて前記ウェブサーバーのデータ記憶部に記憶すると共に、前記特定会員側端末手段に送信し、前記特定会員側端末手段の制御部は、前記ウェブサーバーより得た学校ＩＤに関連付けてユーザーＩＤを割り当てることにより生成すると共に、このユーザーＩＤを前記ウェブサーバーおよび前記第一会員側端末手段又は前記第二会員側端末手段に送信し、前記ウェブサーバーの制御部は、特定会員側端末手段からのアクセスに対し学校ＩＤを識別し、合致した場合に特定会員側端末手段から送られる会員間における商品売買を行う商品バザー情報システムをウェブサーバーのデータ記憶部に記憶させ、かつ、第一会員側端末手段又は前記第二会員側端末手段からのアクセスに対しユーザーＩＤを識別し、合致した場合に前記商品バザー情報システムを前記ウェブサーバーのデータ記録部から取出して、これを第一会員側端末手段又は前記第二会員側端末手段に送信することを特徴とする。
【００１１】
上記発明において、商品バザー情報システムは、商品の写真と売買の条件を掲載したホームページにおいて、第一会員または第二会員の所定の売主が、売却する商品とその売却条件を指定して特定会員に商品の売買を委託し、第一会員または第二会員の買主はホームページを閲覧して、買取希望商品を指定し、特定会員に買取を申し込むことにより売買するシステムである。
【００１２】
なお、卒業生が在学中に予め得たユーザーＩＤを用いてウェブサーバーにアクセスする場合において、ウェブサーバーの制御部は、第二会員側端末手段からのアクセスに対しユーザーＩＤを識別し、合致した場合に前記商品バザー情報システムを前記ウェブサーバーのデータ記録部から取出して、これを第二会員側端末手段に送信すると好適である。
【００１３】
また、請求項８に記載の発明は、インターネット等の通信手段を介して写真や文集からなる学校新聞を公開する学校情報発信システムであって、通信手段上に複数校の学校新聞を掲載したホームページを備え、このホームページに、学校の情報を入力することにより会員登録し、登録することにより各学校毎に１つの学校ＩＤを付与する会員登録ページと、前記学校新聞の内容をアプリケーションフォームに従って任意に編集できる編集ページと、前記学校ＩＤを入力することにより前記編集ページにログインするログイン部とを備えたことを特徴とする。
【発明の効果】
【００１４】
本発明によれば、学校新聞や卒業アルバム等の学校の情報についてコスト低減を実現すると共に学校新聞の公開により他校との交流を促し、さらには、入学から卒業まで及び卒業後の流れにおいて、学校から発せられる学校の情報を学年別に時系列に一括管理することで、在学生又は卒業生の大切な思い出を煩雑な作業なく管理できるシステムを提供することができる。
【発明を実施するための最良の形態】
【００１５】
以下に本発明の実施形態を図１〜図１１に基づいて詳細に説明する。
【００１６】
図１は、本実施形態の学校情報発信システムの概略構成を示す図である。図１において、Ａ〜Ｄは本発明のシステムを利用する利用者の自宅、学校等の所在地を示し、Ｘは本発明のシステムの全体を総合的に制御するウェブサーバーの所在地示し、Ｚはインターネットを示す。なお利用者所在地Ａ〜Ｄについて、Ａは一般人（非会員）、Ｂは学校の先生等の学校職員（特定会員）、Ｃは在学生（第一会員）、Ｄは卒業生（第二会員）がそれぞれ存在している。
【００１７】
一般人Ａには、キーボードやマウス等の入力部５ａ、ディスプレイ（表示部）４ａ、インターネットＺと通信接続する送受信部６ａ、ハードディスク等の記憶部やこれらを制御する制御部が備えられたコンピュータ本体３ａからなる非会員側端末手段１ａが設けられている。そして非会員側端末手段１ａは、インターネットＺに接続されており、インターネットＺを介して情報の送受信ができる。
【００１８】
学校職員Ｂには、特定会員側端末手段１ｂが設けられている。この特定会員側端末手段１ｂは、非会員側端末手段１ａと同様に、入力部５ｂ、ディスプレイ（表示部）４ｂ、送受信部６ｂ、ハードディスク等の記憶部３ｂ１やこれらを制御する制御部３ｂ２が備えられたコンピュータ本体３ｂが設けられている。
【００１９】
在学生Ｃには、第一会員側端末手段１ｃが設けられており、これには非会員側端末手段１ａと同様に、入力部５ｃ、ディスプレイ（表示部）４ｃ、送受信部６ｃ、コンピュータ本体３ｃが設けられている。
【００２０】
卒業生Ｄには、第二会員側端末手段１ｄが設けられており、これには非会員側端末手段１ａと同様に、入力部５ｄ、ディスプレイ（表示部）４ｄ、送受信部６ｄ、コンピュータ本体３ｄが設けられている。
【００２１】
ウェブサーバー所在地Ｘには、上記各端末手段１ａ〜１ｄ間をインターネットＺを介して通信接続するウェブサーバー１が備えられている。このウェブサーバー１は、インターネットＺに接続されており、例えば前記特定会員側端末手段１ｂよりインターネットＺを介して送信される学校名等の学校識別情報を記憶するデータ記憶部７、キーボードやマウス等の入力部５、ディスプレイ（表示部）４、インターネットＺと通信接続する送受信部６、これらを制御する制御部２が備えられたコンピュータ本体３から構成されている。
【００２２】
次に、本発明のシステムを利用するサイト（ホームページ）の構成を図２に基づいて説明する。
【００２３】
図２に示すように、ホームページの構成は、「トップページ１０」、「会員登録ページ１１」、非会員（一般人）Ａおよび会員Ｂ〜Ｄが利用可能な「一般情報１３」および「学校検索１４」、学校検索１４により検索された「学校新聞情報１７」と、会員がログインする際に利用する「ログイン部１２」と、特定会員（学校職員）Ｂのみがログインすることにより利用できる「編集ページ１５」と、会員Ｂ〜Ｄがログインすることにより利用できる「閲覧ページ１６」から構成されている。なお編集ページ１５は「学校新聞情報編集１５ａ」、「連絡網情報編集１５ｂ」、「卒業アルバム情報編集１５ｃ」、「商品バザー情報編集１５ｄ」に分けられ、閲覧ページ１６は特定会員Ｂおよび第一会員（在学生）Ｃのみが利用できる「連絡網情報１６ａ」と、特定会員Ｂおよび第二会員（卒業生）Ｄのみが利用できる「卒業アルバム情報１６ｂ」と、特定会員Ｂおよび第一会員Ｃ、第二会員Ｄのみが利用できる「商品バザー情報１６ｄ」に分けられる。
【００２４】
また、学校新聞情報１７、連絡網情報１６ａ、卒業アルバム情報１６ｂ、商品バザー情報１６ｄおよびこれらに対応する情報編集ページ１５ａ〜１５ｄは、本発明のシステムに登録した学校数に相当する数だけ存在する。
【００２５】
このように、本発明のシステムの利用は、例えば、特定会員Ｂは各情報の閲覧編集が可能で、第一会員Ｃは連絡網情報１６ａ、商品バザー情報１６ｄおよび学校新聞情報１７の閲覧ができ、第二会員Ｄは卒業アルバム情報１６ｂ、商品バザー情報１６ｄおよび学校新聞情報１７の閲覧ができ、非会員Ａは学校新聞情報１７の閲覧のみができるというように、利用者の立場に応じて利用スタイルが異なってくる。そして、ウェブサーバー１において、特定会員Ｂ、第一会員Ｃ又は第二会員Ｄの違いを判別する方法は、ログイン部１２においてログインする際に用いられるＩＤ（詳しくは後述する。）により行われる。
【００２６】
例えば、図１に示すように、学校新聞の場合、予め学校職員等がサイト上で会員登録することにより、特定会員Ｂとなり、ウェブサーバー１に学校新聞の情報を記憶させ、これをサイト上に掲載することができるようになる。また特定会員Ｂは掲載された学校新聞の内容を編集することができる。そして、サイトに掲載された学校新聞は、誰でも閲覧可能となる。これはウェブサーバー１の制御部２によって、特定会員側端末手段１ｂから送られる学校名等の学校識別情報に応じて学校毎に単一に付与される学校ＩＤを付与し、この学校ＩＤを前記学校識別情報に関連付けて前記ウェブサーバー１のデータ記憶部７に記憶すると共に、特定会員側端末手段１ｂに送信する。そして、ウェブサーバー１の制御部２は、特定会員側端末手段１ｂからのアクセスに対し学校ＩＤを識別し、合致した場合に特定会員側端末手段１ｂから送られる写真や文集等の学校新聞情報をウェブサーバー１のデータ記憶部７に記憶させ、かつ、非会員側端末手段１ａからのアクセスに対し、学校新聞情報をウェブサーバー１のデータ記録部７から取出して、これを非会員側端末手段１ａ等に送信する。
【００２７】
また、連絡網の場合、図１に示すように、予め学校職員等がサイト上で会員登録することにより、特定会員Ｂとなり、ウェブサーバー１に連絡網の情報を記憶させ、これをサイト上に掲載することができるようになる。ただしこの連絡網情報は、特定会員Ｂもしくは在学生の第一会員Ｃのみが閲覧可能となっている。そこで、第一会員Ｃは、特定会員ＢによりユーザーＩＤを割り当ててもらい、このユーザーＩＤを用いたログインにより閲覧できるようにする。つまり在学生に対して学校職員等がユーザーＩＤを割り当てる。そしてこのユーザーＩＤをウェブサーバー１を管理する管理者Ｘに通知することで、在学生は第一会員Ｃとして本システムに参加する。これはウェブサーバー１の制御部２によって、特定会員側端末手段１ｂから送られる学校名等の学校識別情報に応じて学校毎に単一に付与される学校ＩＤを付与し、この学校ＩＤを学校識別情報に関連付けてウェブサーバー１のデータ記憶部７に記憶すると共に、特定会員側端末手段１ｂに送信する。そして、特定会員側端末手段１ｂの制御部３ｂ２は、ウェブサーバー１より得た学校ＩＤに関連付けてユーザーＩＤを割り当てることにより生成すると共に、このユーザーＩＤをウェブサーバー１および第一会員側端末手段１ｃに送信する。そして、ウェブサーバー１の制御部２は、特定会員側端末手段１ｂからのアクセスに対し学校ＩＤを識別し、合致した場合に特定会員側端末手段１ｂから送られる在学生の連絡先等の連絡網情報をウェブサーバー１のデータ記憶部７に記憶させ、かつ、第一会員側端末手段１ｃからのアクセスに対しユーザーＩＤを識別し、合致した場合に連絡網情報をウェブサーバー１のデータ記録部７から取出して、これを第一会員側端末手段１ｃに送信する。
【００２８】
また、卒業アルバムの場合、図１に示すように、予め学校職員等がサイト上で会員登録することにより、特定会員Ｂとなり、ウェブサーバー１に卒業アルバムの情報を記憶させ、サイト上に掲載することができるようになる。ただしこの卒業アルバム情報は、特定会員Ｂもしくは卒業生の第二会員Ｄのみが閲覧可能となっている。そこで、第二会員Ｄは、特定会員ＢによりユーザーＩＤを割り当ててもらい、このユーザーＩＤを用いたログインにより閲覧できるようにする。つまり卒業生に対して学校職員等がユーザーＩＤを割り当てる。そしてこのユーザーＩＤをウェブサーバー１を管理する管理者Ｘに通知することで、卒業生は第二会員Ｄとして本システムに参加する。これはウェブサーバー１の制御部２によって、特定会員側端末手段１ｂから送られる学校名等の学校識別情報に応じて学校毎に単一に付与される学校ＩＤを付与し、この学校ＩＤを学校識別情報に関連付けてウェブサーバー１のデータ記憶部７に記憶すると共に、特定会員側端末手段１ｂに送信する。そして、特定会員側端末手段１ｂの制御部３ｂ２は、ウェブサーバー１より得た学校ＩＤに関連付けてユーザーＩＤを割り当てることにより生成すると共に、このユーザーＩＤをウェブサーバー１および第二会員側端末手段１ｄに送信する。そして、ウェブサーバー１の制御部２は、特定会員側端末手段１ｂからのアクセスに対し学校ＩＤを識別し、合致した場合に特定会員側端末手段１ｂから送られる写真や文集等の卒業アルバム情報をウェブサーバー１のデータ記憶部７に記憶させ、かつ、第二会員側端末手段１ｄからのアクセスに対しユーザーＩＤを識別し、合致した場合に卒業アルバム情報を前記ウェブサーバー１のデータ記録部７から取出して、これを第二会員側端末手段１ｄに送信する。
【００２９】
なお、卒業生が在学中に（在学生のときに）予め得たユーザーＩＤを用いてウェブサーバーにアクセスする場合も閲覧可能とする。つまり、ウェブサーバー１の制御部２は、第二会員側端末手段１ｄからのアクセスに対しユーザーＩＤを識別し、合致した場合に卒業アルバム情報をウェブサーバー１のデータ記録部７から取出して、これを第二会員側端末手段１ｄに送信する。
【００３０】
また、商品バザーシステムの場合、図１に示すように、予め学校職員等がサイト上で会員登録することにより、特定会員Ｂとなり、ウェブサーバー１に商品バザーシステム（なお、商品バザー情報システムは、商品の写真と売買の条件を掲載したホームページにおいて、第一会員Ｃまたは第二会員Ｄの所定の売主が、売却する商品とその売却条件を指定して特定会員Ｂに商品の売買を委託し、第一会員Ｃまたは第二会員Ｂの買主はホームページを閲覧して、買取希望商品を指定し、特定会員に買取を申し込むことにより売買するシステムである。）を記憶させ、サイト上において利用可能となる。ただしこの商品バザーシステムは、特定会員Ｂ、在学生の第一会員Ｃもしくは卒業生の第二会員Ｄのみが閲覧可能となっている。そこで、第一会員Ｃ又は第二会員Ｄは、特定会員ＢによりユーザーＩＤを割り当ててもらい、このユーザーＩＤを用いたログインにより閲覧できるようにする。つまり在学生や卒業生に対して学校職員等がユーザーＩＤを割り当てる。そしてこのユーザーＩＤをウェブサーバー１を管理する管理者Ｘに通知することで、在学生は第一会員Ｃとして、また卒業生は第二会員Ｄとして本システムに参加する。これはウェブサーバー１の制御部２によって、特定会員側端末手段１ｂから送られる学校名等の学校識別情報に応じて学校毎に単一に付与される学校ＩＤを付与し、この学校ＩＤを学校識別情報に関連付けてウェブサーバー１のデータ記憶部７に記憶すると共に、特定会員側端末手段１ｂに送信する。そして、特定会員側端末手段１ｂの制御部３ｂ２は、ウェブサーバー１より得た学校ＩＤに関連付けてユーザーＩＤを割り当てることにより生成すると共に、このユーザーＩＤをウェブサーバー１第一会員側端末手段１ｃおよび第二会員側端末手段１ｄに送信する。そして、ウェブサーバー１の制御部２は、特定会員側端末手段１ｂからのアクセスに対し学校ＩＤを識別し、合致した場合に特定会員側端末手段１ｂから送られる会員間における商品売買を行う商品バザー情報システムをウェブサーバー１のデータ記憶部７に記憶させ、かつ、第一会員側端末手段１ｃ又は第二会員側端末手段１ｄからのアクセスに対しユーザーＩＤを識別し、合致した場合に商品バザーシステムを前記ウェブサーバー１のデータ記録部７から取出して、これを第一会員側端末手段１ｃ又は第二会員側端末手段１ｄに送信する。
【００３１】
なお、卒業生が在学中に（在学生のときに）予め得たユーザーＩＤを用いてウェブサーバーにアクセスする場合も閲覧可能とする。つまり、ウェブサーバー１の制御部２は、第二会員側端末手段１ｄからのアクセスに対しユーザーＩＤを識別し、合致した場合に商品バザーシステムをウェブサーバー１のデータ記録部７から取出して、これを第二会員側端末手段１ｄに送信する。
【００３２】
次に本発明のシステムを利用するサイト（ホームページ）の画面構成の説明を図３〜図１１に基づいて説明する。特に学校新聞に係る説明を重点に述べる。
【００３３】
前記トップページ１０は、図３に示すように、ホームページタイトル表示部２０、最新情報など記載されたトピックス表示部２１、前記会員登録ページ１１にリンクされた会員登録ボタン２２、所望の前記学校新聞情報１７を検索する検索部２３、所望の前記学校新聞情報１７の検索をナビゲーションする検索ナビ部２４（この検索ナビ部２４と前記検索部２３により前記学校検索１４が構成されている。）、会員が特定の学校の前記編集ページ１５又は特定の学校の閲覧ページ１６へログインする際に入力するログイン部２５（前記ログイン部１２に相当。）、予め会員登録ページ１１において会員登録することにより得られた「学校ＩＤ」と「パスワード」、又は特定会員側端末手段１ｂにおいて割り当てられることにより得られた「ユーザーＩＤ」と「パスワード」各々を前記ログイン部２５に入力することで出現する編集ページ１５又は閲覧ページ１６へリンクされたメニュー枠３０とから構成されている。なおこのメニュー枠３０は初期状態のトップページ１０に出現しておらず、ログイン部２５よりログインすることで出現する。
【００３４】
前記検索部２３は、所望の学校名を記入する学校名記入部２３ａと、学校名記入部２３ａに記入された学校新聞情報１７へ移動させる移動ボタン２３ｂとから構成されており、これを用いることで所望の学校新聞情報１７へ容易に移動できる。
【００３５】
前記検索ナビ部２４は、日本地図に「北海道」「東北」「関東」「北陸」「東海」「近畿」「中国」「四国」「九州」「沖縄」と地域別に区分けされたボタン２４ａ〜２４ｊが設けられており、各地域をクリックすると、さらに詳細な地域地図が表示されたページに移動する。例えば「近畿」ボタン２４ｆをクリックすると、図４に示すように、「滋賀」「京都」「奈良」「大阪」「兵庫」「和歌山」と府県別に区分けされたボタン２７ａ〜２７ｆを設けた近畿地図２７が表示されたページに移動する。そして、さらにこのボタン２７ａ〜２７ｆのいずれかをクリックすると、その府内又は県内の市町村リストが表示される。一例として「大阪」ボタン２７ｄをクリックすると、図５に示すように、大阪府内の市町村が表示される。そして、任意の市町村をクリックすると、その市町村内に存在する登録済みの学校名がリスト表示され、所望の学校名をクリックすることにより、その学校新聞情報１７へ移動することができる。
【００３６】
前記ログイン部２５は、会員の「ログインＩＤ（学校ＩＤ又はユーザーＩＤ）」、「パスワード」各々を記入するＩＤ記入部２５ａおよびパスワード記入部２５ｂと、記入内容をウェブサーバ−１へ送信するログインボタン２５ｃとから構成されている。各利用者側のコンピューター（端末手段）１ａ〜１ｄからウェブサーバー１に「ログインＩＤ」、「パスワード」が送信されると、ウェブサーバー１において、予め登録されているＩＤ情報と照合し、一致した場合に、利用者側コンピューター１ａ〜１ｄのトップページ１０にメニュー枠３０を出現させる。
【００３７】
前記メニュー枠３０は、「学校新聞ボタン３１」、「連絡帳ボタン３２」、「卒業アルバムボタン３３」、「商品バザーボタン３３ａ」から構成されている。ただし、会員によって、トップページ１０に出現するボタンが異なってくる。例えば、第一会員（在学生）Ｃについては学校新聞ボタン３１と連絡帳ボタン３２と商品バザーボタン３３ａのみが出現し、第二会員（卒業生）Ｄについては卒業アルバムボタン３３と学校新聞ボタン３１と商品バザーボタン３３ａのみが出現する。
【００３８】
前記会員登録ページ１１は、トップページ１０の会員登録ボタン２２をクリックすることにより表示される。そしてこのページでは、学校職員（特定会員）Ｂによる学校名、住所等の学校識別情報を入力して、これをウェブサーバに送信することにより「学校ＩＤ」を得るものである。具体的な画面構成は、図６に示すように、「ログインＩＤ」、「パスワード」、「パスワード再入力」、パスワードを忘れた際にログインするための非常のパスワードとも言える「秘密の質問」および「秘密の答え」、「学校名」、「学校名ふりがな」、小学校、中学校、高等学校などの「学校区分」、「住所」（「郵便番号」、「都道府県／市区町村」等）、「電話番号」、「メールアドレス」、「担当者名」、「担当者名ふりがな」、「学校紹介文」等の入力項目３５がある。これらの項目３５をすべて入力した後、送信ボタン３６をクリックすることで、これらの情報がウェブサーバー１に送信され、入力情報（学校識別情報）をデータ記憶部３ｂ１に記憶させる。そしてウェブサーバー１は学校識別情報に応じて学校毎に単一の学校ＩＤを付与し、この学校ＩＤを先ほどの学校識別情報に関連付けて記憶すると共に、特定会員側端末手段１ｂに送信する。なお、ウェブサーバー１において、特定会員側端末手段１ｂから送信された学校識別情報に応じて学校ＩＤを付与する際に、送信された学校識別情報の内容を人為的に確認するとより好ましい。これにより送信された情報について、記入ミスや偽情報を排除することができる。
【００３９】
次に、編集ページ１５について説明する。編集ページは、学校新聞情報編集ページ１５ａと、連絡網情報編集ページ１５ｂと、卒業アルバム情報編集ページ１５ｃから構成されている。これらの編集ページ１５へは、学校ＩＤを用いなければログインすることができない。
【００４０】
学校新聞情報編集ページ１５は、ログイン部２５において学校ＩＤを入力することにより、メニュー枠３０（学校新聞ボタン３１）をトップページ１０に出現させ、これをクリックすることにより、編集ページに移動することができる。具体的には、先ず、図７に示すような学校新聞管理メニューのページに移動する。この学校新聞管理メニューは「学校新聞新規登録」と「学校新聞編集」とから構成されている。「学校新聞新規登録」は新しく学校新聞を登録する際に用いられる。また「学校新聞編集」は登録済みの学校新聞を編集・削除・修正する場合に用いられる。
【００４１】
そして、学校新聞を新規登録する場合、「登録画面ボタン」をクリックすることで、図８に示すような、学校新聞新規登録ページに移動する。この学校新聞新規登録ページに記載した内容が、学校新聞情報として反映されるように所定のフォーム（アプリケーションフォーム）が施されている。そして、このページは図９に示すように「題字」、「発行年月日」、「新聞名」、「発行者」、「壁紙」を編集する「題字編集部」と、図１０に示すように「記事タイトル」、「記事本文」、「画像」等を編集する「頁編集部」とから構成されている。なお、これらの編集中において、学校新聞の完成プレビューを確認するための確認ボタンが備えられている。またこれらの編集を終えることで、図８に示す、「編集内容を保存ボタン」をクリックすることにより、ウェブサーバー１に記憶され、インターネット上に公開されることになる。このように、学校新聞の内容をアプリケーションフォームに従って任意に編集することにより、容易に学校新聞を編集することができる。
【００４２】
学校新聞情報１７は、前記学校検索１４（検索部２３又は検索ナビ部２４）により、複数存在する学校の中から選ばれた任意の学校の新聞情報を示す。学校新聞の内容は、「題字編集部」及び「頁編集部」において編集された内容が表示され、具体的には、図１１に示すようなものである。
【００４３】
そして、連絡網情報１６ａ、卒業アルバム情報１６ｃ、商品バザー情報１６ｄについても、上述した学校新聞情報１７と同様な画面手順により、ホームページ上において、編集・閲覧が行われる。
【００４４】
また本実施形態における非会員側端末手段１ａ、特定会員側端末手段１ｂ、第一会員側端末手段１ｃ、第二会員側端末手段１ｄは、パーソナルコンピュータを用いて説明したが、携帯電話であっても良い。
【産業上の利用可能性】
【００４５】
本発明は、広く普及し、日常多用されるインターネットを利用して、学校新聞、卒業アルバム等の学校の情報を公開するもので、産業上の利用性を満足することができる。
【図面の簡単な説明】
【００４６】
【図１】本発明の実施形態に係る学校情報発信システムの概略構成図を示す図である。
【図２】本実施形態のシステムにおいて利用するホームページの構成を示す図である。
【図３】本実施形態のホームページのトップページを示す図である。
【図４】本実施形態のホームページの検索ナビページを示す図である。
【図５】本実施形態のホームページの学校一覧を示す図である。
【図６】本実施形態のホームページの会員登録ページを示す図である。
【図７】本実施形態のホームページの学校新聞の管理ページを示す図である。
【図８】本実施形態のホームページの学校新聞編集を示す図である。
【図９】本実施形態のホームページの学校新聞編集ページの題字編集部を示す図である。
【図１０】本実施形態のホームページの学校新聞編集ページの頁編集部を示す図である。
【図１１】本実施形態のホームページの学校新聞閲覧ページを示す図である。
【符号の説明】
【００４７】
１  ウェブサーバー
１ａ  非会員側端末手段
１ｂ  特定会員側端末手段
１ｃ  第一会員側端末手段
１ｄ  第二会員側端末手段
２  制御部
３ｂ１  記憶部
３ｂ２  制御部
４、４ａ〜４ｄ  ディスプレイ（表示手段）
５、５ａ〜５ｄ  入力部
６、６ａ〜６ｄ  送受信部
７  データ記憶部
１１  会員登録ページ
１２  ログイン部
１５  編集ページ
１６ａ  連絡網情報
１６ｂ  卒業アルバム情報
１７  学校新聞情報
Ａ  一般人（非会員）
Ｂ  学校関係者（特定会員）
Ｃ  在学生（第一会員）
Ｄ  卒業生（第二会員）
Ｘ  ウェブサーバー所在地（システム管理者）
Ｚ  インターネット（通信手段）
【図１】
2007065974.tif 000003
【図２】
2007065974.tif 000004
【図３】
2007065974.tif 000005
【図４】
2007065974.tif 000006
【図５】
2007065974.tif 000007
【図６】
2007065974.tif 000008
【図７】
2007065974.tif 000009
【図８】
2007065974.tif 000010
【図９】
2007065974.tif 000011
【図１０】
2007065974.tif 000012
【図１１】
2007065974.tif 000013